(57)【要約】【課題】顧客自身の携帯電話に知りたい情報と宛先検索アドレスを入力して送信する携帯メールを受信し、簡単に知りたい情報を顧客に配信することが出来るようにする。【解決手段】顧客が携帯電話１の宛先画面５に宛先検索アドレスを件名画面４又は本文画面のキーワード４ａ・４ｂに知りたい情報を入力し送信してきた携帯メール８を、情報サービス提供者の宛先検索アドレスを入力しリストにして登録したメールサーバー９が受信し、受信した携帯メール８をメールサーバー９より認証プログラム１０に受渡し、認証プログラム１０によって宛先検索アドレスを検索して取出し、更に情報サービス提供者のデーターを登録したデーターベース１１にてキーワード４ａ・４ｂに合致したデーターを検索にて選出し、認証プログラム１０とメールサーバー９を経由して顧客に配信するようにしたシステムである。【選択図】        図１
2004201259.tif 000002
【特許請求の範囲】
【請求項１】
顧客が携帯電話のメールの宛先画面に宛先検索アドレスと件名画面又は本文画面のキーワードに知りたい情報を入力し送信してきた携帯メールを、情報サービス提供者の宛先検索アドレスを入力しリストにして登録したメールサーバーが受信し、受信した携帯メールをメールサーバーより認証プログラムに受渡し、認証プログラムによって宛先検索アドレスを検索して取出し、更に情報サービス提供者のデーターを登録したデーターベースにてキーワードに合致したデーターを検索にて選出し、認証プログラムとメールサーバーを経由して顧客に配信するようにしたことを特徴とする携帯検索メール配信システム。
【発明の詳細な説明】
【０００１】
【発明の属する技術分野】
本発明は携帯電話を用いて知りたい情報を送信してきた携帯メールを受信し、検索にて情報を顧客に配信することが出来るようにした携帯検索メール配信システムに関するものである。
【０００２】
【従来の技術】
携帯電話の普及によって電話の機能だけでなく、サイト・インターネット・メール・映像などのサービスが広範囲に設定され、それらの利用が出来るようになって来ている。
この中でもよくある顧客自身のメールアドレスを登録しておいた店舗から特選・キャンペーン情報等が得られるメールマガジンも普及してきている。
【０００３】
【発明が解決しようとする課題】
このように携帯電話のサービス情報の設定が広範囲ではあるが、顧客の希望する知りたい情報を見付けだすまでには、操作を繰り返さなくてはならないため簡単に検索出来ず時間を要し、その分通信費が掛かる。
又、普及してきている顧客自身のメールアドレスを登録しておいた店舗から特選・キャンペーン情報等が得られるメールマガジンは、店舗から一方的に送られるので顧客自身が知りたい情報でないため、受け取っても余り有意義でなく時には有り難迷惑となるなど、情報収拾時間及び費用の面からも不経済であり、携帯メールの使用上非常に不都合を感じていた。
【０００４】
【課題を解決するための手段】
本発明はこのような不都合を解消するもので、顧客自身の携帯電話に知りたい情報と宛先検索アドレスを入力して送信する携帯メールを受信し、簡単に知りたい情報を顧客に配信することが出来るようにした携帯検索メール配信システムを提供せんとするものである。
【０００５】
顧客が携帯電話のメールの宛先画面に宛先検索アドレスを件名画面又は本文画面のキーワードに知りたい情報を入力し送信してきた携帯メールを、情報サービス提供者の宛先検索アドレスを入力しリストにして登録したメールサーバーが受信し、受信した携帯メールをメールサーバーより認証プログラムに受渡し、認証プログラムによって宛先検索アドレスを検索して取出し、更に情報サービス提供者のデーターを登録したデーターベースにてキーワードに合致したデーターを検索にて選出し、認証プログラムとメールサーバーを経由して顧客に配信するようにしたシステムである。
【０００６】
リストとしては最大限の分類別（例えば業種別・地域別・５０音別等）としたものを用いる。
又、データーベースへの情報サービス提供者のデーターの登録は、広範囲のどのような内容或は手段を用いて行なっても良い。
【０００７】
【作用】
顧客としては携帯電話のメールの宛先に宛先検索アドレスと件名又は本文のキーワードに知りたい内容を入力した携帯メールを送信するだけで、複雑な操作を必要とせずに知りたい情報を早く且つ容易に得ることが出来るため通信費が掛からず、携帯電話によって得た情報から自由に選択することが出来ると共に、何時でも又何処に居ても広範囲の情報サービスを受けることが出来る。
そして情報サービス提供者としては、携帯電話の配信システムのみの特別サービスや特典の実施が可能となり、より顧客の獲得の増加を促進させることが出来る。
【０００８】
【実施の形態】
以下本発明の一実施例を図面について説明する。
本実施例は携帯メールで食事に行く場所を知りたい場合である。
顧客が食事をする知りたい条件として、場所は名古屋の栄、店はステーキ屋、予算は一人３０００円を希望すると、携帯電話１にて新規メールを作成するためメール画面２を呼び出し件名３を押し件名画面４として入力を可能とする。
そして件名画面４のキーワード４ａに名古屋栄・ステーキを又キーワード４ｂに３０００を入力する。
この場合キーワード４ａ・４ｂ間にスペース・ピリオド又はカンマを設けてキーワード４ａ・４ｂを区切り、キーワード４ａ・４ｂそれぞれの検索を可能にしている。
尚キーワード４ａ・４ｂの二箇所としたが、二箇所に限定せず数箇所としても良い。
【０００９】
件名画面４の入力が終わるとメール画面２の宛先５を押して宛先画面６として入力を可能としてから、予め決められ一般に公表されている情報サービス提供者の宛先検索アドレスを入力しメール画面２に戻して送信７を押して携帯メール８を送信して来る。
送信して来た携帯メール８を情報サービス提供者の宛先検索アドレスを入力しリストにして登録したメールサーバー９が受信し、受信した携帯メール８をメールサーバー９より認証プログラム１０に受渡す。
【００１０】
すると認証プログラム１０は情報サービス提供者の宛先検索アドレスをメールサーバー９より検索して有無を確認する。
そして情報サービス提供者の宛先検索アドレスが有る場合は、情報サービス提供者のデーターを登録したデーターベース１１に送信し、キーワード４ａの名古屋栄・ステーキを又キーワード４ｂの３０００に合致したデーターを検索にて選出する。
【００１１】
例としてデーターから２件が選出された場合、その内容は次のとおりである。
▲１▼ステーキハウス・あさくま￥２８００飲み放題セット／和牛
名古屋市中区栄○×店ＴＥＬ０５２−０００−００００
営業時間ＰＭ５：００〜１１：３０
▲２▼松阪牛専門店・ぎゅうぎゅう￥２８００忘年会セット／飲み放題／松阪牛
名古屋市中区栄○×店ＴＥＬ０５２−０００−００００
営業時間ＰＭ５：００〜１１：３０
【００１２】
このようにして選出したデーターを、認証プログラム１０・メールサーバー９を経由して顧客の携帯電話１に配信する。
顧客は配信されたデーター２件をみて自分の好みの方を選択し、電話にて確認し予約したりして食事に行くことが出来る。
又、情報サービス提供者の求める検索結果が無い場合は、該当するデーターは有りませんのメールが利用者の携帯電話に配信される。
【００１３】
顧客としては携帯電話１のメール画面２から切り替えた宛先画面６に宛先検索アドレスを、件名画面４のキーワード４ａ・４ｂに食事がしたい条件を入力した携帯メール８を送信するだけで、複雑な操作を必要とせずに早く２件の情報を容易に得ることが出来るため、通信費が掛からず２件の情報から何れかを自由に選択して食事に行くことが出来ると共に、何時でも又何処からでも食事に関しての広範囲の情報サービスを受けることが出来る。
【００１４】
そして情報サービス提供者としては、携帯電話１の配信システムのみの季節限定品の忘年会セット・飲み放題セット等の特別サービスや一品のサービス券・飲食料金の割引等の特典の実施の宣伝が容易となり、より顧客の獲得の増加を促進させることが出来る。
尚、上記の如く飲食店情報検索について説明したが、その他にも郵便番号検索・天気予報検索・ＴＶガイド検索・着信メロディ検索・英和辞書検索・占い情報検索・パソコン価格検索・株式データー検索・乗り物時刻表検索など、その用途は色々考えられ応用範囲も非常に広い。
【００１５】
【発明の効果】
上述の如く本発明は、顧客としては、宛先検索アドレスとキーワードに知りたい内容を入力した携帯メールを送信するだけで、複雑な操作を必要とせずに知りたい情報を早く且つ容易に得ることが出来るため通信費が掛からず、得た情報から自由に選択することが出来ると共に、何時でも又何処に居ても広範囲の情報サービスを受けることが出来る。
そして情報サービス提供者としては、携帯電話の配信システムのみの特別サービスや特典の実施が可能となり、より顧客の獲得の増加を促進させることが出来る等多くの特長があり、産業利用上非常にすぐれた発明である。
【図面の簡単な説明】
【図１】本発明実施例の概略図である
【符号の説明】
１    携帯電話
２    メール画面
３    件名
４    件名画面
４ａ  キーワード
４ｂ  キーワード
５    宛先
６    宛先画面
７    送信
８    携帯メール
９    メールサーバー
１０    認証プログラム
１１    データーベース
【図１】
2004201259.tif 000003